(57)【要約】【課題】側壁の高さを増加させることなく、突起の押圧による側壁の係止壁の変形性が大きくなるようにして、係り寸法を大きくすることができる収納ケース及びこの収納ケースを用いた電気光学表示モジュールを提供すること。【解決手段】底ケース（外枠）の側壁２３ｃに形成された開口２１ｂが内枠２３の側壁２１ａに形成された突起２３ｄと嵌合する収納ケースであって、開口２１ｂは側壁２３ｃの長さ方向に細長い形状を有しており、係止壁２１ｄは、側壁２１ａの開口２１ｂの長さ方向の中央部に対応する位置の変形性が他の部分よりも大きくなるように、スリット２１ｅが形成されている。なお、スリットに換えて、開口２１ｂの長さ方向の中央部に対応する位置の係止壁の幅が他の部分よりも小さくなるようにしてもよい。【選択図】  図４
2011095449.tif 000002
【特許請求の範囲】
【請求項１】
それぞれ側壁を有する外枠及び内枠と、
前記内枠の側壁に形成された突起と、
前記外枠の側壁に形成された開口と、前記外枠の側壁に形成され、前記突起が前記開口
に嵌合されたときに前記突起を係止するための係止壁と、
を備え、
前記開口は前記外枠の側壁の長さ方向に延在する細長い形状を有し、
前記係止壁は、前記開口の前記長さ方向の中央部に対応する位置の変形性が他の部分よ
りも大きくなるように形成されていることを特徴とする収納ケース。
【請求項２】
前記係止壁は、前記開口の長さ方向の中央部に対応する位置の幅が他の部分よりも小さ
くなっていることを特徴とする請求項１に記載の収納ケース。
【請求項３】
前記開口は、前記係止壁側が凸状とされ、前記開口の長さ方向の中央部に対応する位置
の幅が他の部分よりも広くなっていることを特徴とする請求項２に記載の収納ケース。
【請求項４】
前記突起は、前記開口の長さ方向の中央部に対応する位置の幅及び高さが他の部分より
も幅広で高さが高いラウンド構造とされていることを特徴とする請求項３に記載の収納ケ
ース。
【請求項５】
前記係止壁は、前記開口の長さ方向の中央部に対応する位置がスリットによって分断さ
れ、一対の片持ち梁状に形成されていることを特徴とする請求項１に記載の収納ケース。
【請求項６】
前記突起は、前記スリットに嵌合する凸部が形成されていることを特徴とする請求項５
に記載の収納ケース。
【請求項７】
前記係止壁は、前記開口の長さ方向の中央部に対応する位置の係り寸法が他の部分より
も大きくなっていることを特徴とする請求項１に記載の収納ケース。
【請求項８】
前記係止壁は、前記開口の長さ方向の中央部の厚さが他の部分よりも薄くなっているこ
とを特徴とする請求項１に記載の収納ケース。
【請求項９】
前記外枠の側壁及び前記内枠の側壁は、円弧状であることを特徴とする請求項１〜８の
いずれかに記載の収納ケース。
【請求項１０】
請求項１〜９のいずれかに記載の収納ケースと、前記収納ケース内に配置された電気光
学表示パネルとを備えることを特徴とする電気光学表示モジュール。
【請求項１１】
前記電気光学表示パネルは、液晶表示パネル又は有機エレクトロルミネセンス表示パネ
ルであることを特徴とする請求項１０に記載の電気光学表示モジュール。
【発明の詳細な説明】
【技術分野】
【０００１】
本発明は、収納ケース及びこの収納ケースを用いた電気光学表示モジュールに関する。
詳しくは、本発明は、外枠及び内枠の側壁にそれぞれ形成された開口と突起とが嵌合する
ことによって形成された収納ケース及びこの収納ケース内に配置された電気光学表示パネ
ルからなる電気光学表示モジュールに関する。
【背景技術】
【０００２】
電気光学表示装置としては、液晶表示装置、有機エレクトロルミネッセンス（ＥＬ）表
示装置、無機ＥＬ表示装置、プラズマ表示装置、発光ダイオード（ＬＥＤ）表示装置、電
界放出型表示装置等、種々のものが知られている。これらの電気光学表示装置は、各種の
電気光学表示パネルが収納ケース（筐体）内に収納された電気光学表示モジュールとして
モジュール製造工場で量産され、この電気光学表示モジュールが電子機器製造工場で各種
の電子機器に組み込まれている。なお、これらの電気光学表示モジュールとして、下記特
許文献１に示されているように、ハート型や円形などの非矩形の表示ができるものも知ら
れている。
【０００３】
これらの電気光学表示モジュールとしては、電気光学表示パネルが外枠及び内枠を嵌合
させることによって作成された収納ケース内に収納された構成を備えている。例えば、下
記特許文献２には、反射シートと導光板が保持された樹脂製の内枠に液晶表示パネルが載
置され、内枠の側壁の突起が底ケースの開口に嵌合することにより内枠が底ケースに係止
された液晶表示モジュールが開示されている。また、下記特許文献３には、外枠の側壁の
開口に底ケースの側壁の突起が嵌合されることにより、液晶表示パネルが外枠と底ケース
で挟持されている液晶表示モジュールが開示されている。
【０００４】
このように、電気光学表示モジュールにおいては、収納ケースの外枠ないし内枠の側壁
に形成されている突起を開口に嵌合させる際に、側壁の係止壁が突起によって押圧される
ため、係止壁は、倒れたり、湾曲できるようにする必要がある。また、上述のような嵌合
構造においては、突起と開口との間には、組み立て精度を確保し、嵌合部の基本性能を維
持するためのクリアランスが存在する。このクリアランスは、値が大きければ作業性は向
上するが組み立て精度は低下し、値が小さければ組み立て精度は向上するが作業性は低下
するという、相反する性質を有している。そのため、従来は、作業性と組み立て精度とを
両立させるために、クリアランス値として作業性及び組立精度の両者が確立できる中間値
を採用することが多かったが、実際には部品精度のばらつき等の要因により、作業性も組
み立て精度も低下してしまう。
【０００５】
このような問題点を解決するため、下記特許文献４には、突起部の形状を球面と鉛直面
からなる形状とすることにより、薄型・軽量でありながら、高品質の平面表示装置が得ら
れる嵌合構造の発明が開示されている。ここで、下記特許文献４に開示されている嵌合構
造を図１０を用いて説明する。なお、図１０Ａは下記特許文献４に開示されているフレー
ムの突起部の斜視図であり、図１０Ｂは図１０Ａの突起部がベゼルカバーの孔に嵌合した
状態を示す斜視図であり、図１０Ｃは図１０ＢのＸＣ−ＸＣ線の断面図であり、図１０Ｄ
は図１０ＢのＸＤ−ＸＤ線の断面図である。
【０００６】
この嵌合構造においては、フレーム９０の突起部９１は、図１０Ａに示すように、球面
と鉛直面とからなる形状を有している。この突起部９１の図１０ＢのＸＣ−ＸＣ線の断面
形状は、図１０Ｃに示すように、ほぼ円弧状の線９１ｂと突起部が形成されている面に対
し垂直な線９１ａとからなっている。また、図１０ＢのＸＤ−ＸＤ線の断面形状は、図１
０Ｄに示すようにほぼ円弧状である。このような形状であると突起部９１をベゼルカバー
９２の孔９３に嵌合させる際の図１０Ｃにおける矢印方向における作業クリアランス（係
止壁の幅）ａは、突起部９１がベゼルカバー９２と接触する面を有しないので、ベゼルカ
バー９２の端部から孔９３までの長さと実質的に一致する。従って、従来技術のものと比
較して作業クリアランスが大きくなり、作業性が向上するようになる。
【０００７】
また、ＸＤ−ＸＤ線の断面形状はほぼ円弧状となるので、このような形状の突起部９１
をベゼルカバー９２の孔９３に嵌合させる際の図１０Ｄにおける矢印方向における作業ク
リアランスｂは、孔９３の長さの１／２と実質的に一致し、従来例のものよりも大きくな
る。これに対し、組立クリアランスｃは作業クリアランスｂと無関係に従来より小さくす
ることができる。従って、下記特許文献４に開示されている嵌合構造によれば、従来技術
のものと比較して、作業性、組立精度共に向上したものとすることができるようになる。
【先行技術文献】
【特許文献】
【０００８】
【特許文献１】特開２００８−０９６８１８号公報
【特許文献２】特開２００８−２３５１３６号公報
【特許文献３】特開２００８−１１２６６３号公報
【特許文献４】特開２００７−０８６５１８号公報
【発明の概要】
【発明が解決しようとする課題】
【０００９】
上記特許文献４に開示されている嵌合構造によれば、従来技術のものと比較して作業ク
リアランスが大きくなり、作業性、組立精度共に向上したものとすることができるように
なるという効果を奏することができる。しかしながら、近年に至り、電気光学表示装置の
技術の進歩により、電気光学表示モジュールの薄型化が著しく進行している。例えば、液
晶表示モジュールでは液晶表示パネルやバックライト装置の薄型化が進展したことにより
、厚さが例えば４ｍｍから２ｍｍにも薄くなってきている。このように電気光学表示モジ
ュールの厚さが薄くなると、収納ケースの外枠及び内枠の嵌合部の強度を確保するために
、側壁の突起の形成位置の高さが低くなり、これに伴って開口の位置が低くなる。つまり
、電気光学表示モジュールの厚さが薄くなると、外枠及び内枠の側壁の高さ（厚さ）も低
くなり、このような低い側壁に、突起と開口を形成しなければならなくなる。
【００１０】
上記特許文献４に開示されている嵌合構造は、嵌合部の突起に勾配を設けて高さ方向の
ガタ取りを行う必要があるので、側壁の係止壁の幅ａを大きくする必要があると共に、嵌
合部の開口の形状が矩形状となっているために係止壁の変形可能量が嵌合部の中央部とそ
の他の部分で同様となっている。そのため、上記特許文献４に開示されているような嵌合
構造を採用すると、電気光学表示モジュールのより薄型化を図ることが困難となると共に
、側壁の係止壁の中央部が湾曲あるいは倒れ難くなっているので、従来の係り寸法を確保
した上で無理に側壁の突起を開口に嵌合させようとすると、側壁の係止壁が弾性変形の臨
界点を超えて変形したままになるおそれがあり、また、係り寸法を小さくすると嵌合部が
外れてしまうおそれがある。
【００１１】
本発明は、従来技術の上記のような問題点を解決すべくなされたものであって、側壁の
係止壁の幅を大きくすることなく、突起の押圧による側壁の係止壁の変形性が大きくなる
ようにして、係り寸法を大きくすることができると共に薄型化が可能な収納ケース及びこ
の収納ケースを用いた電気光学表示モジュールを提供することを目的とする。
【課題を解決するための手段】
【００１２】
上記目的を達成するため、本発明の収納ケースは、それぞれ側壁を有する外枠及び内枠
と、前記内枠の側壁に形成された突起と、前記外枠の側壁に形成された開口と、前記外枠
の側壁に形成され、前記突起が前記開口に嵌合されたときに前記突起を係止するための係
止壁と、を備え、前記開口は前記外枠の側壁の長さ方向に延在する細長い形状を有し、前
記係止壁は、前記開口の前記長さ方向の中央部に対応する位置の変形性が他の部分よりも
大きくなるように形成されていることを特徴とする。
【００１３】
外枠及び内枠に形成された開口と突起が嵌合する際には係止壁が突起の押圧により湾曲
されるが、本発明の収納ケースでは、開口の長さ方向の中央部に対応する位置の係止壁の
変形性が他の部分よりも大きくなるように形成されている。そのため、本発明の収納ケー
スによれば、側壁の係止壁が湾曲ないし倒れ易いので、係止壁の高さが低くても十分な係
り寸法を確保でき、しかも、容易に外枠及び内枠に形成された開口と突起を嵌合させるこ
とができるようになる。なお、本発明の外枠及び内枠に形成する開口ないし突起は少なく
とも１箇所に形成されていればよいが、外枠及び内枠の嵌合強度を大きくするためには複
数箇所に設ける方がよい。
【００１４】
また、本発明の収納ケースにおいては、前記係止壁は、前記開口の長さ方向の中央部に
対応する位置の幅が他の部分よりも小さくなっていることが好ましい。
【００１５】
係止壁の幅、すなわち開口の長さ方向に垂直な方向の幅が小さい部分では、大きい部分
よりも湾曲ないし倒れ易くなる。そのため、本発明の収納ケースによれば、上記の効果が
容易に奏されるようになる。
【００１６】
また、本発明の収納ケースにおいては、前記開口は、前記係止壁側が凸状とされ、前記
開口の長さ方向の中央部に対応する位置の幅が他の部分よりも広くなっているものとする
ことができる。
【００１７】
開口の形状が平面視で係止壁側が凸状とされ、開口の長さ方向の中央部に対応する位置
の幅が他の部分よりも広くなっていると、開口の長さ方向の中央部に対応する位置の係止
壁の幅が他の部分よりも小さくなる。そのため、本発明の収納ケースによっても、上記の
効果が容易に奏されるようになる。なお、開口の凸状部分は、曲線状であっても直線状で
あってもよい。
【００１８】
また、本発明の収納ケースにおいては、前記突起は、前記開口の長さ方向の中央部に対
応する位置の幅及び高さが他の部分よりも幅広で高さが高いラウンド構造とされているこ
とが好ましい。
【００１９】
本発明の収納ケースによれば、突起の形状が開口の長さ方向の中央部に対応する位置の
幅及び高さが他の部分よりも幅広で高さが高いラウンド構造（曲面構造）とされているの
で、作業性及び組立精度共に向上した収納ケースが得られる。
【００２０】
また、本発明の収納ケースにおいては、前記係止壁は、前記開口の長さ方向の中央部に
対応する位置がスリットによって分断され、一対の片持ち梁状に形成されているものとす
ることができる。
【００２１】
係止壁が開口の長さ方向の中央部に対応する位置がスリットによって分断され、一対の
片持ち梁状に形成されているものとすると、開口の長さ方向の中央部に対応する位置の係
止壁は非常に湾曲ないし倒れ易くなる。そのため、本発明の収納ケースによれば上記効果
が顕著に奏されるようになる。
【００２２】
また、本発明の収納ケースにおいては、前記突起は、前記スリットに嵌合する凸部が形
成されているものとすることができる。
【００２３】
本発明の収納ケースによれば、突起の凸部が係止壁に形成されたスリットに嵌合されて
いるので、開口の長さ方向に対するガタが少なくなり、より組立精度が向上する。なお、
この効果は、特に突起が開口の長さ方向の中央部に対応する位置の幅及び高さが他の部分
よりも幅広で高さが高いラウンド構造とされている場合には、顕著に表れる。
【００２４】
また、本発明の収納ケースにおいては、前記係止壁は、前記開口の長さ方向の中央部に
対応する位置の係り寸法が他の部分よりも大きくなっているものとすることができる。
【００２５】
突起が開口に嵌合されるときは、係止壁が湾曲するが、係り寸法が大きい位置では係止
壁の湾曲が大きくなり、係り寸法が小さい位置では係止壁の湾曲は小さくてすむ。また、
係り寸法が大きい位置では、突起と開口との間の嵌合が外れ難くなる。そのため、本発明
の収納ケースによれば、係止壁の側壁の開口の長さ方向の中央部に対応する位置の変形性
が他の部分よりも大きくなるように形成されているので、容易に係止壁の側壁の開口の長
さ方向の中央部に対応する位置の係り寸法が他の部分よりも大きくなるようにすることが
でき、しかも、突起と開口との間の嵌合が外れ難くなる。加えて、外枠及び内枠の側壁が
互いに平面状の場合だけでなく、曲面状の場合においても適用可能となる。
【００２６】
また、本発明の収納ケースにおいては、前記係止壁は、前記開口の長さ方向の中央部の
厚さが他の部分よりも薄くなっているものとしてもよい。
【００２７】
係止壁の側壁の開口の長さ方向の中央部の厚さが他の部分よりも薄くしても、この部分
は他の部分よりも湾曲ないし倒れ易くなる。そのため、本発明の収納ケースにおいても、
容易に上記効果を奏することができるようになる。
【００２８】
また、本発明の収納ケースにおいては、前記外枠の側壁及び前記内枠の側壁が円弧状の
ものとすることができる。
【００２９】
本発明の収納ケースによれば、外枠の側壁及び内枠の側壁が円弧状のものであっても、
容易に上記効果を奏することができるようになる。
【００３０】
更に、上記目的を達成するため、本発明の電気光学表示モジュールにおいては、前記い
ずれかの収納ケースと、前記収納ケース内に配置された電気光学表示パネルとを備えるこ
とを特徴とする。
【００３１】
本発明の電気光学表示モジュールによれば、収納ケースが上記効果を奏するものである
ため、より薄型化が可能な電気光学表示モジュールが得られる。
【００３２】
また、本発明の電気光学表示モジュールにおいては、前記電気光学表示パネルは、液晶
表示パネル又は有機ＥＬ表示パネルであることが好ましい。
【００３３】
電気光学表示パネルのうち、液晶表示パネル及び有機ＥＬ表示パネル共に薄型化されて
いるものが多く知られている。本発明の電気光学表示モジュールによれば、このような薄
型化されている液晶表示パネル及び有機ＥＬ表示パネルに適用したので、上記効果が顕著
に表れる。
【図面の簡単な説明】
【００３４】
【図１】第1実施形態に係る液晶表示モジュールの分解斜視図である。
【図２】図２Ａは第１実施形態に係る液晶表示モジュールの外枠を外した状態の平面図であり、図２Ｂは図２ＡのIIＢ−IIＢ線の断面図である。
【図３】図２ＡのIII−III線の断面図である。
【図４】図４Ａは第１実施形態の内枠と底ケースの嵌合状態を示す拡大斜視図であり、図４Ｂは底ケースと外枠の嵌合状態を示す拡大斜視図である。
【図５】図５Ａは第２実施形態の内枠と底ケースの嵌合状態を示す拡大斜視図であり、図５Ｂは第３実施形態の内枠と底ケースの嵌合状態を示す拡大斜視図である。
【図６】第４実施形態の内枠と底ケースの嵌合状態を示す拡大斜視図である。
【図７】図７Ａは第５実施形態の嵌合前の内枠と底ケースを示す斜視図であり、図７Ｂは第５実施形態の嵌合後の内枠と底ケースを示す斜視図である。
【図８】図８Ａは図７ＡのVIIIＡ部分の拡大斜視図であり、図４Ｂは図７ＢのVIIIＢ部分の拡大斜視図である。
【図９】図９Ａは図７ＡのIXＡ部分の拡大斜視図であり、図９Ｂは図７ＢのIXＢ部分の拡大斜視図である。
【図１０】図１０Ａは従来例のフレームの突起部の斜視図であり、図１０Ｂは図１０Ａの突起部がベゼルカバーの孔に嵌合した状態を示す斜視図であり、図１０Ｃは図１０ＢのＸＣ−ＸＣ線の断面図であり、図１０Ｄは図１０ＢのＸＤ−ＸＤ線の断面図である。
【発明を実施するための形態】
【００３５】
以下、収納ケース及びこの収納ケースを用いた電気光学表示モジュールとして液晶表示
モジュールの場合を例にとり、本発明を実施するための形態を図面を参照しながら説明す
るが、以下に示す実施形態は本発明をここに記載したものに限定することを意図するもの
ではなく、本発明は特許請求の範囲に示した技術思想を逸脱することなく種々の変更を行
ったものにも均しく適用し得るものである。なお、この明細書における説明のために用い
られた各図面においては、各層や各部材を図面上で認識可能な程度の大きさとするため、
各層や各部材毎に縮尺を異ならせて表示しており、必ずしも実際の寸法に比例して表示さ
れているものではない。
【００３６】
［第１実施形態］
本発明の第１実施形態の液晶表示モジュール１０を図１〜図４を用いて説明する。第１
実施形態の液晶表示モジュール１０は、例えば透過型の液晶表示パネル１１と、液晶表示
パネル１１の背面に配設されるバックライト部１２と、液晶表示パネル１１をバックライ
ト部１２とで挟んで収納する外枠１３を有している。図２及び図３に示すように、液晶表
示パネル１１は、液晶層１４と、これを挟持するアレイ基板１５とカラーフィルター基板
１６と、液晶が漏れないようにするため液晶層１４の周囲を囲むシール材１７と、液晶表
示パネル１１を駆動するゲートドライバー１８と、ソースドライバー１９とを有している
。また、液晶表示パネル１１には、外部のコントロール基板（図示省略）から各種信号を
受信すると共に電源を供給するための第１フレキシブルプリント配線（ＦＰＣ）基板２０
が接続されている。
【００３７】
図１〜図３に示すように、バックライト部１２は、液晶表示モジュール１０の背面側か
ら底ケース２１、反射シート２２、内枠２３が重畳されている。内枠２３の中央の開口２
３ａには、導光板２４と、例えば３枚の光学シート２５とが配設されている。３枚の光学
シート２５は、背面側から第１拡散シート２６、プリズムシート２７、第２拡散シート２
８となっている。そして、導光板２４の入光面となる側面にＬＥＤ２９が対向配置される
ように光源用の第２ＦＰＣ基板３０が熱伝導性に優れた第１両面テープ３１で内枠２３に
粘着されている。
【００３８】
底ケース２１はステンレス板を押出し加工して形成されている。これに白色の反射シー
ト２２が貼り付けられている。第２ＦＰＣ基板３０は液晶表示パネル１１に白色光を出射
するＬＥＤ２９が複数個配設されている。導光板２４の入光面となる側面にはＬＥＤから
の入光の輝度を均一にするための凹凸の処理が施されており、出光面となる上面には所望
する方向に光を集光するための凹凸の処理が施されている。第１及び第２拡散シート２６
、２８は輝度が均一になるように拡散し、プリズムシート２７は図１のＸ軸方向に向かう
光を図１のＺ軸方向（液晶表示パネル１１側）に集光させためのものである。３枚の光学
シート２６〜２８の延在部２５ａが内枠２３の凹部２３ｂに嵌入されることにより、３枚
の光学シート２６〜２８の位置決めが行われている。
【００３９】
内枠２３は、合成樹脂材の射出成型によって作製されたものである。図１及び図４に示
すように、底ケース２１の側壁２１ａの開口２１ｂと内枠２３の側壁２３ｃの突起２３ｄ
とが嵌合することにより、底ケース２１と内枠２３が機械的に結合されている。なお、液
晶表示パネル１１は、図１に示すように、３枚の第２両面テープ３２によって内枠２３に
粘着されている。また、内枠２３は中央に光が通る大きな開口２３ａを有する額縁状の形
状をしている。
【００４０】
外枠１３は例えばステンレス板をプレス加工することにより作製されている。外枠１３
は底ケース２１と嵌合して、液晶表示パネル１１を挟持している。底ケース２１の側壁２
１ａの突起２１ｃと外枠１３の側壁１３ａの角孔１３ｂとが嵌合することにより、底ケー
ス２１と外枠１３が機械的に結合されている。図１に示すように、外枠１３は中央に表示
窓となる大きな開口１３ｃを有した額縁の形状を有している。また、図３に示すように、
第１ＦＰＣ基板２０と第２ＦＰＣ基板３０とは液晶表示モジュール１０の背面側に延出さ
れ、第２ＦＰＣ基板３０の延出先端は第１ＦＰＣ基板２０に電気的に接続されている。そ
して、第２ＦＰＣ基板３０は底ケース２１に第３両面テープ３３で粘着されている。
【００４１】
上述の構成により、第２ＦＰＣ基板３０のＬＥＤ２９から照射された光は導光板２４の
側面で拡散され、反射シート２２で反射拡散されて導光板２４で所定の方向の輝度が高め
られ、第１拡散シート２６で拡散され、プリズムシート２７で表示方向に集光され、第２
拡散シート２８で拡散されて、液晶表示パネル１１の背面に照射される。
【００４２】
次に、図４Ａに示される内枠２３と底ケース２１の嵌合状態及び図４Ｂに示される底ケ
ース２１と外枠１３の嵌合状態について詳細に説明する。なお、図４Ａに示した例では、
内枠２３が本発明の内枠に対応し、底ケース２１が本発明の外枠に対応する。また、図４
Ｂに示した例では底ケース２１が本発明の内枠に対応し、外枠１３が本発明の外枠に対応
する。
【００４３】
なお、図４Ａは、後述の第１及び第２嵌合領域Ｃ１、Ｃ２をわかりやすく図示するため
に、液晶表示モジュール１０の表示面側を下に、背面側を上にして表した斜視図である。
これにより、Ｚ軸の正方向を示す矢印が下向きになっている。また、図４Ａ及び図４Ｂで
は、Ｚ軸は液晶表示モジュール１０の表示面と垂直な方向を示し、Ｚ軸方向とは正負両方
向を示す。液晶表示モジュール１０の表示面と垂直な方向はＸ軸方向とＹ軸方向であり、
ここでは各側壁１３ａ、２１ａ、２３ｃの厚さ方向をＹ軸方向とする。
【００４４】
図４Ａに示すように、底ケース２１の側壁２１ａの開口２１ｂはＸ軸方向に横長となっ
ている。開口２１ｂの液晶表示モジュール１０の表示面側（Ｚ軸の正方向）すなわち内枠
２３が挿入されてくる側の側壁２１ａは、内枠２３の突起２３ｄとの嵌合が外れるのを止
める係止壁２１ｄとなっている。この係止壁２１ｄにはスリット状開口２１ｅが設けられ
ており、係止壁２１ｄは２つの片持ち梁状の第１及び第２係止壁２１ｆ、２１ｇに分断さ
れている。すなわち、従来の係止壁は両持ち梁状の形状であったが、第１実施形態の底ケ
ース２１の係止壁２１ｄは２つの片持ち梁状の第１及び第２係止壁２１ｆ、２１ｇに分断
されているので、内枠２３の突起２３ｄが底ケース２１の側壁２１ａの開口２１ｂに嵌合
されるときに、突起２３ｄの押圧による第１及び第２係止壁２１ｆ、２１ｇの湾曲が従来
の係止壁よりも大きくなる。これにより、あまり高くない側壁２１ａに係止壁を形成する
場合でも、係止するＹ軸方向の寸法、即ち係り寸法を増加させることができるようになる
。つまり、従来の構造においては、内枠と外枠との嵌合について、内枠の突起の構造を工
夫するものであったが、本発明の構造においては、外枠の係止壁の構造を変えることで嵌
合を容易にしている。
【００４５】
内枠２３の突起２３ｄが底ケース２１の側壁２１ａの開口２１ｂに嵌合されるときは、
底ケース２１の側壁２１ａ全体の湾曲に第１及び第２係止壁２１ｆ、２１ｇの湾曲が加わ
る。片持ち梁状の第１及び第２係止壁２１ｆ、２１ｇは先端に向かうほど大きく湾曲する
ので、図４Ａに示すように、内枠２３の突起２３ｄの突出量、すなわち係り寸法は第１及
び第２係止壁２１ｆ、２１ｇの先端に向かうほど大きくなっている。図４Ａのクロスハッ
チングで示すＣ１、Ｃ２部分は第１及び第２係止壁２１ｆ、２１ｇの嵌合領域を示し、第
１及び第２係止壁２１ｆ、２１ｇの片持ち梁の先端の係り寸法Ａ１は第１及び第２係止壁
２１ｆ、２１ｇの片持ち梁の支点の係り寸法Ａ２よりも大きく、Ａ１>Ａ２となっている
。このように第１及び第２係止壁２１ｆ、２１ｇの湾曲に伴って突起２３ｄの突出量が変
化するように、突起２３ｄの係止面２３ｅは弧を描いている。
【００４６】
また、内枠２３の突起２３ｄには底ケース２１のスリット状開口２１ｅに嵌合する突起
（リブ）２３ｆが形成されている。このリブ２３ｆは液晶表示モジュールの組み立て・分
解や衝撃による突起２３ｄの損傷を防止する補強リブとなっていると共に、Ｘ軸方向の位
置決め作用を有している。このように、係止壁２１ｄにスリット状開口２１ｅを設けるこ
とによって、補強及び位置決め作用を有するリブ２３ｆを形成することが可能となる。第
１実施形態の内枠２３は合成樹脂材の射出成形により作製されたものであるので、リブ２
３ｆを容易に形成することができる。内枠２３が板金製のものであれば、リブ２３ｆに替
わるものとしてプレス加工や曲げ加工によってリブ２３ｆを形成することができる。また
、突起２３ｄの係止面２３ｅとは逆側の押圧面２３ｇは斜面となっており、内枠２３を底
ケース２１に挿入するときの斜面の分力によって、係止壁２１ｄを押圧することができる
。
【００４７】
更に、外枠１３の側壁１３ａの開口１３ｂは、図４Ｂに示すように、Ｘ軸方向に横長と
なっている。開口１３ｂの液晶表示モジュール１０の背面側（Ｚ軸の負方向）すなわち底
ケース２１が挿入されてくる側の側壁１３ａは、底ケース２１の突起２１ｃとの嵌合が外
れるのを止める係止壁１３ｄとなっている。係止壁１３ｄ側の側壁１３ａの開口１３ｂの
平面視の形状は、係止壁１３ｄ側に凸状の弧面になっている。これにより、係止壁１３ｄ
のＺ軸方向の中央の寸法Ｂ１は端部の寸法Ｂ２よりも小さくなり、すなわち、係止壁１３
ｄの中央部の幅は端部の幅よりも小さくなっている。このために、係止壁の幅が同じであ
る従来の係止壁と比較して、係止壁１３ｄの中央側の変形性が大きくなっている。つまり
、係止壁１３ｄが変形しやすくなっている。これにより、側壁の高さを増加させることな
く、係止するＹ軸方向の寸法、即ち係り寸法を増加させることができる。また、Ｚ軸方向
の中央部と端部の寸法が異なるので、Ｘ軸方向の位置決めにもなる。なお、係止壁１３ｄ
は弧面でなく多面（開口１３ｂの稜が弧でなく多角形）であってもよい。
【００４８】
底ケース２１の突起２１ｃが外枠１３の開口１３ｂに嵌合されるときは、外枠１３の側
壁１３ａ全体の湾曲に係止壁１３ｄの湾曲が加わる。両持ち梁状の係止壁１３ｄは中央に
向かうほど大きく湾曲するので、図４Ｂに示すように、底ケース２１の突起２１ｃの突出
量、すなわち係り寸法は係止壁１３ｄの中央に向かうほど大きくなっている。図４Ｂのク
ロスハッチングで示すＣ３は係止壁１３ｄの嵌合領域を示し、係止壁１３ｄの両持ち梁の
中央の係り寸法Ａ３は係止壁１３ｄの両持ち梁の支点の係り寸法Ａ４よりも大きく、Ａ３
>Ａ４となっている。このように係止壁１３ｄの湾曲に伴って底ケース２１の突起２１ｃ
の突出量が変化するように、突起２１ｃの係止面２１ｈは弧を描いている。また、突起２
１ｃの係止面２１ｈとは逆側の押圧面２１ｉは斜面となっており、底ケース２１を外枠１
３に挿入するときの斜面の分力によって、係止壁１３ｄを押圧することができる。
【００４９】
［第２実施形態］
次に、第２実施形態の液晶表示モジュールを、図５Ａを用いて説明する。図５Ａは第１
実施形態の液晶表示モジュールにおける図４Ａに対応する。第２実施形態の液晶表示モジ
ュールと第１実施形態の液晶表示モジュールの構成が相違する主な点は、係止壁の形状で
あるので、第２実施形態の液晶表示モジュールにおいては、その他の部分の構成について
は、その詳細な説明は省略する。
【００５０】
図５Ａに示すように、第２実施形態の液晶表示モジュールの内枠４０の側壁４０ａの開
口４０ｂは、従来例の場合と同様に矩形である。しかしながら、第２実施形態の係止壁４
０ｃは外面側がエンドミルのような円柱状の刃物で切り欠かれたように、係止壁４０ｃの
厚さは中央部に向かうに従って次第に薄くなるように形成されている。すなわち、図５Ａ
に示すように、中央部の厚さＢ３は端部の厚さＢ４よりも小さくなっている。従って、第
１実施形態の外枠１３の係止壁１３ｄの場合と同様に、係止壁の厚さが同じである従来の
係止壁の場合と比較して、係止壁４０ｃの中央側の変形性は大きくなっている。これによ
り、側壁の高さを増加させることなく、係止するＹ軸方向の寸法、即ち係り寸法を増加さ
せることができる。なお、内枠４０は合成樹脂材を用いて射出成形により作製されたもの
であるので、容易に係止壁４０ｃの厚さを変化させることができる。
【００５１】
図５Ａに示すように、第２実施形態の液晶表示モジュールの底ケース４１の側壁４１ａ
の突起４１ｂの係止面４１ｃは、係止壁４０ｃの湾曲に伴って突起４１ｂの突出量が変化
するように、弧を描いている。第２実施形態における係止壁４０ｃの嵌合領域は、係止面
４１ｃと係止面４１ｃが当接している領域Ｃ４と、係止面４１ｃが係止面４１ｃを超えて
いる領域Ｃ５を合わせた領域となる。係止壁４０ｃの両持ち梁の中央の係り寸法Ａ５は係
止壁４０ｃの両持ち梁の支点の係り寸法Ａ６よりも大きくなっている。また、突起４１ｂ
の係止面４１ｃとは逆側の押圧面４１ｄは斜面となっており、内枠４０を底ケース４１に
挿入するときの斜面の分力によって、係止壁４０ｃを押圧することができる。このように
、係止壁４０ｃの中央部分の厚さを変更することによっても係止壁の湾曲を大きくするこ
とができる。なお、図５Ａに示した例では、底ケース４１が本発明の内枠に対応し、内枠
４０が本発明の外枠に対応する。
【００５２】
［第３実施形態］
次に、第３実施形態の液晶表示モジュールを、図５Ｂを用いて説明する。図５Ｂは第１
実施形態の液晶表示モジュールにおける図４Ａに対応する。第３実施形態の液晶表示モジ
ュールと第１実施形態の液晶表示モジュールの構成が相違する主な点は、係止壁の形状で
あるので、第３実施形態の液晶表示モジュールにおいては、その他の部分の構成について
は、その詳細な説明は省略する。
【００５３】
図５Ｂに示すように、第３実施形態の液晶表示モジュールの内枠５０の側壁５０ａの開
口５０ｂは従来と同様に矩形である。しかしながら、第３実施形態の係止壁５０ｃには菱
形状の開口５０ｄが形成されている。従って、第１実施形態の外枠１３の係止壁１３ｄの
場合と同様に、係止壁の幅が同じである従来の係止壁と比較して、係止壁５０ｃの中央側
の変形性が大きくなっている。これにより、側壁５０ａの高さを増加させることなく、係
止するＹ軸方向の寸法、即ち係り寸法を増加させることができる。内枠５０は合成樹脂材
を用いて射出成形により作製されたものであるが、板金製であっても容易に菱形状の開口
５０ｄを形成することができる。
【００５４】
第３実施形態の液晶表示モジュールの底ケース５１の側壁５１ａの突起５１ｂは、第２
実施形態の突起４１ｂと同一の形状である。図５Ｂに示すように、第３実施形態における
係止壁５０ｃの嵌合領域Ｃ６では、係止壁５０ｃの両持ち梁の中央の係り寸法Ａ７は係止
壁５０ｃの両持ち梁の支点の係り寸法Ａ８よりも大きく、Ａ７>Ａ８となっている。この
ように、係止壁５０ｃに菱形状の開口５０ｄを形成することによっても係止壁５０ｃの変
形性を大きくすることができる。
【００５５】
以上、係止壁の両持梁状での変形性を大きくするために、第１実施形態の係止壁１３ｄ
（図４Ｂ参照）のように係止壁のＺ軸方向の寸法を変化させる構成、第２実施形態の係止
壁４０ｃ（図５Ａ参照）のように係止壁の厚さを変化させる構成、第３実施形態の係止壁
５０ｃ（図５Ｂ参照）のように係止壁の内部に開口を設ける構成を示した。これらの構成
は、いずれも、係止壁の中央部の幅や厚さを小さくする構成の例示であり、本発明は他の
構成によって中央部の幅や厚さを小さくしてもよい。また、第１実施形態の係止壁２１ｄ
（図４Ａ参照）のように係止壁の中央部にスリット状の開口を設けて係止壁を２つの片持
梁状の係止壁に分断する構成も、係止壁の中央部の幅ないし厚さを極限の「０」まで小さ
くする構成の一つである。
【００５６】
［第４実施形態］
また、係止壁の断面積を小さくする構成として、上述の構成を組み合わせても良い。図
６に示した第４実施形態はその組み合わせを例示するものである。図６に示すように、第
４実施形態の液晶表示モジュールの内枠６０の側壁６０ａの開口６０ｂの係止壁６０ｃは
、第１実施形態の図４Ｂのように、係止壁６０ｃの中央のＺ軸方向の幅が小さくされ、且
つ、第１実施形態の図４Ａのように、係止壁６０ｃの中央部にスリット状の開口６０ｄを
設けて係止壁６０ｃを２つの片持梁状の第１及び第２係止壁６０ｅ、６０ｆに分断したも
のである。これにより、より係止壁６０ｃの中央部の変形性が大きくなる。すなわち、図
６に示した係止壁６０ｃの中央部の係り寸法Ａ９と端部の係り寸法Ａ１０との差がより大
きくなる。なお、第４実施形態の底ケース６１の突起６１ｂの構成は図４Ｂの突起２１ｃ
と図４Ａの突起２３ｄを複合した形状であり、この突起６１ｂの詳細な説明は省略する。
【００５７】
［第５実施形態］
次に、第５実施形態の液晶表示モジュールを、図７〜図９を用いて説明する。第５実施
形態は第１実施形態の嵌合構造を円弧状の形状をした内枠と底ケースを有する液晶表示モ
ジュールに適用した例である。従って、ここでは内枠と底ケースについてのみ図面を用い
て説明する。特許文献１に示されるように、電気光学表示パネルは非矩形にすることがで
きる。図示省略したが、第５実施形態の液晶表モジュールで用いる液晶表示パネルは、表
示面の上方側が円弧状になっており、表示面の下方側が配線、ドライバＩＣや外部のコン
トローラーへの接続端子のために方形になっている。そして、この液晶表示パネルの形状
に合わせて、内枠７０と底ケース７１も、図７Ａに示すように、表示面の上方側が円弧状
になっている。内枠７０と底ケース７１以外の構成部品は、図示省略したが、形状が異な
る以外は第１実施形態の液晶表示モジュールと同様の構成を有している。
【００５８】
第５実施形態の液晶表示モジュールは、図７Ａに示すように、内枠７０の側壁７０ａの
円弧部の両端近傍に２つの第１突起７０ｂと、円弧部の中央に１つの第２突起７０ｃが形
成されている。また、底ケース７１の側壁７１ａの円弧部の両端近傍に２つの第１開口７
１ｂと円弧部の中央に１つの第２開口７１ｃが形成されている。すなわち、この第５実施
形態の液晶表示モジュールは、第１突起７０ｂと第１開口７１ｂとが嵌合する２つの第１
嵌合部７２（一方は図示省略）と、第２突起７０ｃと第２開口７１ｃとが嵌合する１つの
第２嵌合部７３を有している。第１嵌合部７２は第１実施形態の外枠１３の開口１３ｂと
底ケース２１の突起２１ｃの嵌合部（図４Ｂ参照）と同様な構成であり、第２嵌合部７３
は第１実施形態の底ケース２１の開口２１ｂと内枠２３の突起２３ｄの嵌合部（図４Ａ参
照）と同様な構成を有している。なお、この例では、底ケース７１が本発明の内枠に対応
し、内枠７０が本発明の外枠に対応する。
【００５９】
底ケース７１の第１開口７１ｂ側の第１係止壁７１ｄは、図８Ａに示すように、第１実
施形態の外枠１３の係止壁１３ｄの場合と同様に、Ｚ軸方向の幅が中央に向かうに従って
狭くなっている。すなわち、中央のＺ軸方向の幅Ｂ５は端部のＺ軸方向の幅Ｂ６よりも小
さくなっている。これにより第１係止壁７１ｄの中央の変形性が大きくなる。その分、内
枠７０の第１突起７０ｂの第１係止面７０ｄの中央のＹ軸方向の寸法が大きくなる。従っ
て、第１突起７０ｂの中央部の係り寸法Ａ１１は端部の係り寸法Ａ１２よりも大きくなっ
ている。このようにして、側壁が円弧状である液晶表示モジュールでも、係止壁の中央の
Ｚ軸方向の幅を小さくして中央部の変形性を大きくすることができる。
【００６０】
そして特にこの構造は、本実施形態で示すような電気光学表示パネルが非矩形の場合、
具体的には一部が円弧状になっている際の円弧状と矩形状との境界、つまり曲線部と直線
部の境界において最適な構造となる。つまり側壁が曲がっている領域と側壁が直線の領域
との境界だと、図８Ａで示す第１突起７０ｂの係り寸法を確保することが難しく、また同
じ端部の係り寸法Ａ１２であっても同じにすることは加工上難しい。しかしながら、本発
明の構造であれば少ない第１突起７０ｂの係り寸法があまりなくても、また係り寸法が均
一でなくとも強固な嵌合とすることができる。
【００６１】
また、図７及び図９Ａに示すように、底ケース７１の側壁７１ａには第２開口７１ｃが
設けられ、その第２係止壁７１ｅはスリット状の開口７１ｆによって２つの片持梁状の第
３及び第４係止壁７１ｇ、７１ｈに分断されている。これにより第２係止壁７１ｅの中央
の変形性が大きくなる。第３及び第４係止壁７１ｇ、７１ｈはわずかに内側に曲げられて
いる。また、第３及び第４係止壁７１ｇ、７１ｈにはそれぞれ内枠７０の押圧面７０ｅと
略面状に滑動する第１及び第２ガイド７１ｉ、７１ｊが曲げ加工により形成されている。
【００６２】
内枠７０の第２突起７０ｃは、側壁７０ａから突出する突起を形成したものではなく、
底ケース７１の側壁７１ａに形成された第３及び第４係止壁７１ｇ、７１ｈを収容する第
１及び第２凹部７０ｆ、７０ｇを形成したものであり、それによって同時に第１及び第２
係止面７０ｉ、７０ｊを有する第２突起７０ｃが形成されたものである。第１及び第２係
止面７０ｉ、７０ｊは、第２係止壁７１ｅの中央に向かうに従ってＹ軸方向の寸法が大き
くなっている。すなわち、第３及び第４係止壁７１ｇ、７１ｈの中央部側は係り寸法が大
きくなっている。また、内枠７０の側壁７０ａには、第２突起７０ｃの補強とＸ軸方向の
位置決めのために、スリット状の開口７１ｆと嵌合するリブ（突起）７０ｋが形成されて
いる。このような構成とすると、第３及び第４係止壁７１ｇ、７１ｈが内側に曲げられて
いるため、第３及び第４係止壁７１ｇ、７１ｈ、第２突起７０ｃ及リブ７０ｋが側壁７１
ａから突出しないようにすることができるので、小型化した液晶表示モジュールが得られ
る。このようにして、側壁が円弧である液晶表示モジュールでも、係止壁の中央部にスリ
ット状の開口を設けて係止壁を２つの片持梁状の係止壁に分断した構成によって中央の変
形性を大きくすることができる。
【００６３】
そして、特にこの構造は、本実施形態で示すような電気光学表示パネルが非矩形の場合
、具体的には円弧状の場合（つまり側壁が曲がっている場合）に最適な構造となる。つま
り、第２係止壁７１ｅのスリット状の開口７１ｆと、これに嵌合するリブ７０ｋとにより
、底ケース７１と内枠７０との嵌合の際の位置合わせを行えるので、作業性が非常に向上
することになる。したがって、円弧状の側壁において、本構成の嵌合構造を少なくとも一
つ設けておくことで非常に作業性が向上することになる。
【００６４】
なお、上記各実施形態においては、電気光学表示モジュールとして液晶表示モジュール
の場合を例にとって説明したが、本発明は、有機ＥＬ表示パネル、無機ＥＬ表示パネル、
プラズマ表示パネル、ＬＥＤ表示パネル、電界放出型表示パネル等の周知の電気光学表示
パネルを用いた電気光学表示モジュールの場合に対しても適用可能である。
【符号の説明】
【００６５】
１０：液晶表示モジュール  １１：表示パネル  １２：バックライト部  １３：外枠  
１３ａ：外枠の側壁  １３ｂ：外枠の開口  １３ｃ：外枠の開口  １３ｄ：外枠の係止壁
１４：液晶層  １５：アレイ基板  １６：カラーフィルター基板  １７：シール材  １
８：ゲートドライバー  １９：ソースドライバー   ２０：第１ＦＰＣ基板  ２１：底ケ
ース  ２１ａ：底ケースの側壁  ２１ｂ：底ケースの開口  ２１ｃ：底ケースの突起  ２
１ｄ：底ケースの係止壁  ２１ｅ：底ケースのスリット状開口  ２１ｆ：底ケースの第１
係止壁  ２１ｇ：底ケースの第２係止壁  ２１ｈ：底ケースの係止面  ２１ｉ：底ケース
の押圧面  ２２：反射シート  ２３：内枠  ２３ａ：内枠の開口  ２３ｂ：内枠の凹部  
２３ｃ：内枠の側壁  ２３ｄ：内枠の突起  ２３ｅ：内枠の係止面  ２３ｆ：内枠のリブ
２３ｇ：内枠の押圧面  ２４：導光板  ２５：光学シート  ２５ａ：光学シートの延在
部  ２６：第１拡散シート  ２７：プリズムシート  ２８：第２拡散シート  ２９：ＬＥ
Ｄ  ３０：第２ＦＰＣ基板  ３１：第１両面テープ  ３２：第２両面テープ  ３３：第３
両面テープ
【図１】
2011095449.tif 000003
【図２】
2011095449.tif 000004
【図３】
2011095449.tif 000005
【図４】
2011095449.tif 000006
【図５】
2011095449.tif 000007
【図６】
2011095449.tif 000008
【図７】
2011095449.tif 000009
【図８】
2011095449.tif 000010
【図９】
2011095449.tif 000011
【図１０】
2011095449.tif 000012